(57)【特許請求の範囲】
【請求項１】
デジタル信号の電子的処理及び／又は記憶用の回路装置であって、
前記回路装置の所定部分を永久にスイッチオフする、ヒューズと呼ばれる少なくとも一つのプログラマブルスイッチ装置を有し、
前記ヒューズの内少なくとも一つがヒューズ要素の多段構成を有し、前記多段構成中のいずれかのヒューズ要素が前記回路装置の前記所定部分を永久にスイッチオフしているときに、前記多段構成中の他のヒューズ要素は前記回路装置の前記所定部分のスイッチオフに影響を与えることができず、
前記回路装置がさらに、マスターヒューズと呼ばれる少なくとも一つの第２のプログラマブルスイッチ装置を有し、前記マスターヒューズはマスターヒューズ要素の多段構成を有し、該多段構成における各マスターヒューズ要素は、前記ヒューズ要素の多段構成におけるそれぞれの前記ヒューズ要素に対応し、前記マスターヒューズ要素の各々がセットされると、当該マスターヒューズ要素に対応する前記ヒューズ要素が前記回路装置の前記所定部分をスイッチオフする機能を失うことを特徴とする、回路装置。
【請求項２】
デジタル信号の電子的処理及び／又は記憶用の回路装置によって特徴付けられるマイクロプロセッサであって、前記回路装置は、
前記回路装置の所定部分を永久にスイッチオフする、ヒューズと呼ばれる少なくとも一つのプログラマブルスイッチ装置を有し、
前記ヒューズの内少なくとも一つがヒューズ要素の多段構成を有し、前記多段構成中のいずれかのヒューズ要素が前記回路装置の前記所定部分を永久にスイッチオフしているときに、前記多段構成中の他のヒューズ要素は前記回路装置の前記所定部分のスイッチオフに影響を与えることができず、
前記回路装置がさらに、マスターヒューズと呼ばれる少なくとも一つの第２のプログラマブルスイッチ装置を有し、前記マスターヒューズはマスターヒューズ要素の多段構成を有し、該多段構成における各マスターヒューズ要素は、前記ヒューズ要素の多段構成におけるそれぞれの前記ヒューズ要素に対応し、前記マスターヒューズ要素の各々がセットされると、当該マスターヒューズ要素に対応する前記ヒューズ要素が前記回路装置の前記所定部分をスイッチオフする機能を失うことを特徴とする、マイクロプロセッサ。
【請求項３】
デジタル信号の電子的処理及び／又は記憶用の回路装置によって特徴付けられる、スマートカードコントローラと呼ばれるチップカードで使用されるマイクロプロセッサであって、前記回路装置は、
前記回路装置の所定部分を永久にスイッチオフする、ヒューズと呼ばれる少なくとも一つのプログラマブルスイッチ装置を有し、
前記ヒューズの内少なくとも一つがヒューズ要素の多段構成を有し、前記多段構成中のいずれかのヒューズ要素が前記回路装置の前記所定部分を永久にスイッチオフしているときに、前記多段構成中の他のヒューズ要素は前記回路装置の前記所定部分のスイッチオフに影響を与えることができず、
前記回路装置がさらに、マスターヒューズと呼ばれる少なくとも一つの第２のプログラマブルスイッチ装置を有し、前記マスターヒューズはマスターヒューズ要素の多段構成を有し、該多段構成における各マスターヒューズ要素は、前記ヒューズ要素の多段構成におけるそれぞれの前記ヒューズ要素に対応し、前記マスターヒューズ要素の各々がセットされると、当該マスターヒューズ要素に対応する前記ヒューズ要素が前記回路装置の前記所定部分をスイッチオフする機能を失うことを特徴とする、マイクロプロセッサ。
【発明の詳細な説明】
【０００１】
【発明の属する技術分野】
本発明は回路装置に関する。本発明は特に、デジタル信号の電子的処理及び／又は記憶用の回路装置に関する。
【０００２】
【従来の技術】
単独の回路で、デジタル信号の電子的処理及び／又は記憶用の回路装置の設計及び製造に関する基礎が、これから導出されるいわゆる製品群を構成するおそらく多数の変形例のために得られ、また、これらの変形例を最低限の数の部品で、すなわち短期間で製造することができるようにするためには、この新しい製品群のいわゆる最大構成が上記の種類の単独回路構成として規定され、ここから、異なった特別な製品がこの製品群のメンバー又はサブグループとして、この特別な製品に要求されない最大構成の部品又は部品グループがプログラマブルスイッチ装置(ヒューズと呼ばれる)により永久に停止状態にスイッチされることにより、いわゆる派生品として導出されることができる。この場合、多機能型で簡易、且つ多様に変更可能な、試作品の製造が、対応する派生品のおそらく簡単で信頼性のある製造と共に、目標とされる。
【０００３】
【発明が解決しようとする課題】
本発明の目的は、多機能型で変更可能な試作品の製造と、これに対応する派生品のおそらく簡単で信頼性のある製造との両方を可能にする方法を提供することである。
【０００４】
【課題を解決するための手段】
本発明によれば、この目的は、特にデジタル信号の電子的処理及び／又は記憶用の回路装置であって、当該回路装置の所定のパーツを永久にスイッチオフする少なくとも一つのプログラマブルスイッチ装置(ヒューズと呼ばれる)を有し、当該ヒューズの内少なくとも一つが多段構成を有することを特徴とする回路装置により解決される。
【０００５】
本発明の根本的原理は、前記派生品を構成するのに必要とされるヒューズが多段構成を有することである。複数のこのようなヒューズ要素を連続した段で組み合わせる結果は、これらのヒューズ要素のそれぞれの組み合わせの種類から得られる。最も融通の利くヒューズ要素が最も低い優先順位を有する。これの影響は最近接の融通の利くヒューズ要素により無効にされてもよい。
【０００６】
この観点では、ヒューズ要素は、スマートカードコントローラの任意の機能を保証するために、回路のある部分をロックするために用いられるということに注意するべきである。例えば製造制御段の内の時々必要になる機能と、例えば製品群から派生品を構成するという永久にスイッチオフされる機能との間で、区別がつけられる。このようなヒューズ要素は、例えばEEPROM記憶装置により形成される「NVヒューズ要素」、又は、(好適には集積回路の半導体結晶上の)回路装置の特別な配線若しくは特別なROMメモリセルにより形成される「ハードワイヤードヒューズ(hard wired fuses)要素」である。
【０００７】
NVヒューズ要素は、構成の高い融通性、及び、異なった派生品の試作品の高速な製造という利点を有する。欠点は、大量生産の際の製造制御段における構成に必要とされる部品の比例的に大きな数である。
【０００８】
ハードワイヤードヒューズ要素は、大量生産の際に多数の構成部品を必要としないという利点がある。しかし、欠点は、各派生品に別個のマスクが必要であるということである。結果として、ハードワイヤードヒューズ要素は極めて融通が利かないため、異なった派生品の試作品の高速な製造が不可能である。
【０００９】
【発明の実施の形態】
本発明の実施例が唯一の図(図１)に示され、以下で説明される。
【００１０】
例示により、プログラム可能なフリップフロップセル、EEPROMセル及びROMセルから構成される三段ヒューズによる機能が説明される。
【００１１】
構成の最も融通の利く変形例は、プログラマブルフリップフロップセル(「フリップフロップヒューズ要素」又は「FFヒューズ要素」)である。FFヒューズ要素の状態は、ロックするべき機能について、EEPROMセル(「EEPROMヒューズ要素」)及びROMセル(「ROMヒューズ要素」)がこの機能を解放する限り、スイッチオンするかスイッチオフするかを決定する。これにより、構成はユーザソフトウェアにより製造されることが可能になり、これは、このFFヒューズ要素が全てのヒューズ要素の変形例の内最も融通が利くことを表す。この変形例は、例えば、本発明による回路装置のユーザ又はオペレータが、製品群派生品から所望の最適な構成を見つけ、引き続きこの構成を新しい設計として構成することができるようにするのに使用することができる。
【００１２】
EEPROMヒューズ要素は、組み合わせるべき又はロックされるべきこの機能について、ROMヒューズ要素がこの機能を解放したとき、スイッチオンするかスイッチオフするかを決定する。EEPROMヒューズ要素が作動されるとき、FFヒューズ要素のスイッチ状態は無関係である。例えば、任意の派生品の製造制御段の範囲内のテストプログラムによる最終測定において、製造者は、EEPROMヒューズ要素若しくはEEPROMヒューズ要素の列、又は、もうエンドカスタマーにより変更されることができない、このように用いられた全てのEEPROMヒューズ要素を特別にプログラムすることにより、任意の派生品を製造することができる。しかし、製造者は依然、半導体回路の機械的製造ステージ及び化学的製造ステージで得られるように、同一の半導体製品からのテストプログラムにより異なった派生品を発生させることができる。正しい派生品を発生させるにはテスト中に慎重な注意を払わなければならず、また、より多数の部品が必要であり、これは欠点であるかもしれない。
【００１３】
任意の派生品のカスタマーが自分のROMコードを、つまり、任意の派生品に適応されたROMヒューズ要素の特別なプログラムを、注文すると、対応するROMヒューズ要素がROMコードと共にプログラムされる。ROMヒューズ要素はEEPROMヒューズ要素及びFFヒューズ要素に対して優先性を有する。これにより、派生品は明白に規定される。ROMヒューズ要素に従ってスイッチをオフにされた回路装置の機能は、もう作動させられない。
【００１４】
本発明による回路装置が、優先性を有する追加のプログラマブルスイッチ装置(ここでは「マスターヒューズ要素」と呼ばれる)を有し、当該装置が上述のヒューズ要素の列の最終段階までこれらのヒューズ要素の個別のセルと全く同様に作製されているとき、派生品は、まだオープンなヒューズ要素についても規定された変更不可能なスイッチ状態及び操作状態にリセットされる(ここでは「フリーズした(frozen)」とも呼ばれる)こともできる。これまで説明された例では、これは、マスターヒューズ要素はEEPROMヒューズ要素を有する部分とROMヒューズ要素を有する部分とにより構成されるということを意味する。マスターヒューズ要素のEEPROMヒューズ要素がセットされると、個別のFFヒューズ要素が認めても、FFヒューズ要素はもうプログラムされることができない。マスターヒューズ要素のROMヒューズ要素がセットされると、「オープンな」EEPROMヒューズ要素はもうプログラムされることができない。これにより、個別の派生品の構成は、いかなる段階においても「フリーズ」されることができるということが保証される。
【００１５】
本発明による回路装置の追加の論理素子による、わずかだけより高い表面積の必要性という小さな欠点は、ヒューズの明白に圧倒的な利点、すなわち回路構成及び動作の高い融通性、並びに、構成に大きな労力を伴わないハードワイヤードヒューズにより埋め合わせられる。これらの利点は、本発明による回路装置のマスクのセットと組み合わされる。
【図面の簡単な説明】
【図１】 本発明の実施例の図。
【図１】
0004092199.tif 000002